(57)【要約】【課題】道路橋継目部のアスファルト舗装７とコンクリート舗装との境界を波形にする。【解決手段】伸縮継手４に向かって又は伸縮継手４とは反対側に向かって中凸になった複数の円弧状切れ目を継目長手方向に間隔をおいてアスファルト舗装７に入れるステップと、相隣る円弧状切れ目同士を結ぶように継目長手方向に延びる切れ目を入れるステップとにより、アスファルト舗装７に波形切れ目を形成し、波形切れ目よりも伸縮継手側に存するアスファルト舗装部分を除去し、舗装が除去された部位にコンクリートを打設してコンクリート舗装６を形成する。これにより、アスファルト舗装７とコンクリート舗装６との打継目１２を波形に形成する。【選択図】図２
2008215024.tif 000002
【特許請求の範囲】
【請求項１】
道路橋本体の伸縮を許容する伸縮継手が設けられている道路橋継目部に施工する道路橋継目部舗装の施工方法であって、
上記道路橋本体のアスファルト舗装に、上記伸縮継手に沿って継目長手方向に延びる切れ目を入れる工程と、
上記切れ目よりも伸縮継手側に存するアスファルト舗装部分を除去する工程と、
上記舗装が除去された部位にコンクリートを打設してコンクリート舗装を形成することにより、該コンクリート舗装を上記アスファルト舗装に打継ぐ工程とを備え、
上記アスファルト舗装に切れ目を入れる工程では、上記伸縮継手に向かって又は上記伸縮継手とは反対側に向かって中凸になった複数の円弧状切れ目を上記継目長手方向に間隔をおいて入れるステップと、相隣る上記円弧状切れ目同士を結ぶように上記継目長手方向に延びる切れ目を入れるステップとにより、上記アスファルト舗装に波形の切れ目を形成するようにして、
上記アスファルト舗装とコンクリート舗装との打継目を波形に形成することを特徴とする道路橋継目部舗装の施工方法。
【請求項２】
道路橋本体の伸縮を許容する伸縮継手が設けられている道路橋継目部に施工する道路橋継目部舗装の施工方法であって、
上記アスファルト舗装に、上記伸縮継手に沿って継目長手方向に延びる切れ目を入れる工程と、
上記切れ目よりも伸縮継手側に存するアスファルト舗装部分を除去する工程と、
上記舗装が除去された部位にコンクリートを打設してコンクリート舗装を形成することにより、該コンクリート舗装を上記アスファルト舗装に打継ぐ工程とを備え、
上記アスファルト舗装に切れ目を入れる工程では、上記伸縮継手に向かって又は上記伸縮継手とは反対側に向かって中凸になった複数の円弧状切れ目を上記継目長手方向に間隔をおいて入れるステップと、各円弧状切れ目からその両側へ橋軸に対して斜めになって当該円弧の接線方向に延びる斜め切れ目を入れるステップと、相隣る上記円弧状切れ目から延びる上記斜め切れ目同士を結ぶように上記継目長手方向に延びる切れ目を入れるステップとにより、上記アスファルト舗装に波形の切れ目を形成するようにして、
上記アスファルト舗装とコンクリート舗装との打継目を波形に形成することを特徴とする道路橋継目部舗装の施工方法。
【発明の詳細な説明】
【技術分野】
【０００１】
本発明は、道路橋の継目部に施工する道路橋継目部舗装の施工方法に関する。
【背景技術】
【０００２】
道路橋の継目部には道路橋本体の伸縮を許容しつつ自動車の車輪が継目部を支障なく通過できるようにするための伸縮継手が設けられている。その施工にあたっては、伸縮継手を継目部に配置し、伸縮継手の背部にコンクリートを路面高さ打設する、という方法がとられている。しかし、この後打ちのコンクリート舗装と道路橋本体又は橋台のアスファルト舗装との境界が伸縮継手に沿ってまっすぐに延びたものであると、アスファルト舗装が摩耗してこの境界に段差を生じた際に、自動車はその車輪が段差を通過するときに大きな衝撃を受け、また、振動・騒音も大きくなる。
【０００３】
これに対して、上記境界を波形に形成すると、上記段差を生じても自動車が通過する際の振動・騒音が小さくなることが知られている（特許文献１参照）。この特許文献１には上記境界を全長にわたって正弦波状にする方法が記載されている。
【特許文献１】特許第３８５９６３６号公報
【発明の開示】
【発明が解決しようとする課題】
【０００４】
上述の如くアスファルト舗装と後打ちコンクリート舗装との境界が直線状に延びているときに、車両の通過に伴う振動・騒音が大きくなるのであるから、当該境界は上記特許文献１に記載されているように全長にわたって正弦波状に形成することが理想的である。そして、上記境界を正弦波状にするには、アスファルト舗装に伸縮継手側へ中凸になった円弧状切れ目を入れる作業と、伸縮継手とは反対側に中凸になった円弧状切れ目とを入れる作業とを継目長手方向に繰り返していけばよい。また、円弧状切れ目自体は、路面に支軸を立て、該支軸を中心に円板状回転切断刃を旋回移動させることによって形成することができる。
【０００５】
しかし、上記逆向きになった円弧状切れ目同士を滑らかに繋ぐには、当該両切れ目の接続点において一方の切れ目の円弧の接線と他方の切れ目の円弧の接線とが同一になるようにしなければならない。そのためには、上記支軸を精度良く位置決めする必要があるが、アスファルト舗装面には微小凹凸があることから、支軸の位置ずれを生じ易い。このため、円弧状切れ目同士を滑らかに繋ぐことは難しい。
【０００６】
そこで、本発明は、アスファルト舗装とコンクリート舗装との境界を簡単に波形にすることができる方法を提供することを課題とする。
【課題を解決するための手段】
【０００７】
本発明は、このような課題に対して、円弧状切れ目と直線状切れ目とを組み合わせることによって、アスファルト舗装とコンクリート舗装との境界を簡単に波形に形成できるようにした。
【０００８】
すなわち、請求項１に係る発明は、道路橋本体の伸縮を許容する伸縮継手が設けられている道路橋継目部に施工する道路橋継目部舗装の施工方法であって、
上記道路橋本体のアスファルト舗装に、上記伸縮継手に沿って継目長手方向に延びる切れ目を入れる工程と、
上記切れ目よりも伸縮継手側に存するアスファルト舗装部分を除去する工程と、
上記舗装が除去された部位にコンクリートを打設してコンクリート舗装を形成することにより、該コンクリート舗装を上記アスファルト舗装に打継ぐ工程とを備え、
上記アスファルト舗装に切れ目を入れる工程では、上記伸縮継手に向かって又は上記伸縮継手とは反対側に向かって中凸になった複数の円弧状切れ目を上記継目長手方向に間隔をおいて入れるステップと、相隣る上記円弧状切れ目同士を結ぶように上記継目長手方向に延びる切れ目を入れるステップとにより、上記アスファルト舗装に波形の切れ目を形成するようにして、
上記アスファルト舗装とコンクリート舗装との打継目を波形に形成することを特徴とする。
【０００９】
従って、本発明によれば、従来のような円弧状切れ目同士を直接繋ぐ方法をとる必要はなく、相隣る円弧状切れ目同士を継目長手方向に延びる切れ目によって繋ぐことにより、曲線部を有する波形の切れ目を簡単に形成することができ、それによって、アスファルト舗装とコンクリート舗装との打継目を、曲線部を有する波形に形成することができる。また、相隣る円弧状切れ目の中心位置が継目長手方向に多少ずれても、継目長手方向切れ目の長さが変わるだけで済み、上記打継目を波形にすることには支障がない。また、相隣る円弧状切れ目の中心位置が橋軸方向に多少ずれても、該円弧状切れ目の両端位置を調整することにより、相隣る円弧状切れ目同士を継目長手方向切れ目で繋ぐことができ、上記打継目を波形にすることには支障がない。
【００１０】
請求項２に係る発明は、道路橋本体の伸縮を許容する伸縮継手に続いてアスファルト舗装が設けられている道路橋継目部に施工する道路橋継目部舗装の施工方法であって、
上記アスファルト舗装に、上記伸縮継手に沿って継目長手方向に延びる切れ目を入れる工程と、
上記切れ目よりも伸縮継手側に存するアスファルト舗装部分を除去する工程と、
上記舗装が除去された部位にコンクリートを打設してコンクリート舗装を形成することにより、該コンクリート舗装を上記アスファルト舗装に打継ぐ工程とを備え、
上記アスファルト舗装に切れ目を入れる工程では、上記伸縮継手に向かって又は上記伸縮継手とは反対側に向かって中凸になった複数の円弧状切れ目を上記継目長手方向に間隔をおいて入れるステップと、各円弧状切れ目からその両側へ橋軸に対して斜めになって当該円弧の接線方向に延びる斜め切れ目を入れるステップと、相隣る上記円弧状切れ目から延びる上記斜め切れ目同士を結ぶように上記継目長手方向に延びる切れ目を入れるステップとにより、上記アスファルト舗装に波形の切れ目を形成するようにして、
上記アスファルト舗装とコンクリート舗装との打継目を波形に形成することを特徴とする。
【００１１】
本発明の場合も、斜め切れ目及び継目長手方向切れ目をもって相隣る円弧状切れ目同士を繋ぐようにしたから、円弧状切れ目同士を直接繋ぐ必要はなく、曲線部を有する波形の切れ目を簡単に形成することができ、それによって、アスファルト舗装とコンクリート舗装との打継目を、曲線部を有する波形に形成することができる。また、相隣る円弧状切れ目の中心位置が継目長手方向に多少ずれても、継目長手方向切れ目の長さが変わるだけで済み、上記打継目を波形にすることには支障がない。また、相隣る円弧状切れ目の中心位置が橋軸方向に多少ずれても、斜め切れ目の長さ調整により対応することができ、上記打継目を波形にすることには支障がない。
【００１２】
上記請求項１及び請求項２の各発明において、特に限定するわけではないが、継目長手方向に延びる切れ目の長さは、その継目長手方向切れ目部位のみを自動車のタイヤが通過することがないように、タイヤ幅よりも小さくする、すなわち、１５０ｍｍ以下にする、さらには１００ｍｍ以下にすることが好ましい。相隣る継目長手方向切れ目の間隔は、例えば４００〜１０００ｍｍ程度にすればよい。また、請求項２に係る発明において、斜め切れ目と継目長手方向の切れ目とのなす角度は１２０度以上１６５度以下が好ましい。
【発明の効果】
【００１３】
以上のように本発明によれば、相隣る円弧状切れ目を継目長手方向の切れ目によって、又は該継目長手方向の切れ目と斜め切れ目とによって繋ぐようにしたから、円弧状切れ目同士を直接繋ぐ必要はなく、アスファルト舗装とコンクリート舗装との打継目を曲線部を有する波形に形成することが簡単になり、これにより、アスファルト舗装が摩耗して上記打継目に段差を生じた場合、自動車のタイヤが当該打継目のいずれの部位を通過しても、その通過の際の振動・騒音は小さなものになる。
【発明を実施するための最良の形態】
【００１４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１５】
＜実施形態１＞
図１及び図２は本実施形態に係る道路橋継目部舗装の施工方法を用いてなる道路橋継目部の構造を示す。同図において、１は道路橋本体（床版）であり、遊間２を存して相対する道路橋本体１，１の端部に該本体上面よりも低くなった切欠段部３，３が形成されている。遊間２に対応する位置には道路橋本体１の伸縮を許容する伸縮継手４が配置され、この伸縮継手４の両側にはコンクリートが路面高さまで打設されて後打ちコンクリート舗装５，５が形成されている。さらに、後打ちコンクリート舗装５，５の両外側には打継ぎコンクリート舗装６，６が形成され、この打継ぎコンクリート舗装６に道路橋本体１の上面のアスファルト舗装７が続いている。
【００１６】
後打ちコンクリート舗装５は、道路橋本体１の切欠段部３にコンクリートが打設されて形成されているとともに、該後打ちコンクリート舗装５の端部が道路橋本体１の上面に一定幅で載るように形成されている。打継ぎコンクリート舗装６は、道路橋本体１の上面に形成された凹部８にコンクリートが打設されて形成されている。そうして、図２に示すように、後打ちコンクリート舗装５と打継ぎコンクリート舗装６との打継目１１は道路橋の継目長手方向（幅員方向）に直線状に延び、打継ぎコンクリート舗装６とアスファルト舗装７との打継目１２は、継目長手方向に向かって右へ左へと波形に曲折して延びている。従って、打継ぎコンクリート舗装６には、橋軸方向に幅広になった部分と幅狭になった部分とが継目長手方向において交互に設けられている。
【００１７】
打継ぎコンクリート舗装６には補強用の鉄筋１３〜１７が配設されている。すなわち、打継ぎコンクリート舗装６の幅広部分には、橋軸方向へ横長になった複数の矩形リング筋１３が継目長手方向に間隔をおいて配設され、打継ぎコンクリート舗装６の幅狭部分には橋軸方向の長さが短い複数の矩形リング筋１４が継目長手方向に間隔をおいて配設されている。そうして、これら矩形リング筋１３，１４を貫くように継目長手方向に延びる複数の通し筋１５が配設されて、これら矩形リング筋１３，１４の内側に溶接されている。また、上記幅広部分には横長矩形リング筋１３を貫くように継目長手方向に延びる通し筋１６が配設されて該矩形リング筋１３の内側に溶接されている。さらに、道路橋本体１には上記凹部８から差し筋アンカー１７が打ち込まれている。この差し筋アンカー１７は、継目長手方向に間隔をおいて配設され、各々の上部は矩形リング筋１３及び通し筋１５に溶接されている。
【００１８】
次に本発明に係る道路橋継目部舗装の施工方法を具体的に説明する。
イ．切れ目１８，１９の形成
図３は施工前の道路橋継目部を示す。後打ちコンクリート舗装５がアスファルト舗装７に打継がれた状態になっており、両舗装５，７の境界は継目長手方向に直線状に延びている。そこで、図４に示すように、後打ちコンクリート舗装５とアスファルト舗装７との境界に上記直線状打継目１１を得るための継目長手方向へ直線状に延びる切れ目１８を入れ、また、上記境界からアスファルト舗装７側に離れた位置に上記波形打継目１２を得るための継目長手方向へ波形になって延びる切れ目１９を入れる。直線状切れ目１８及び波形切れ目１９はいずれも道路橋本体１に達するようにする。すなわち、道路橋本体１にも切れ目１８，１９が深さ１ｃｍ〜１０ｃｍ程度入るようにする。
【００１９】
この場合、直線状切れ目１８と波形切れ目１９とはいずれを先に入れてもよい。また、直線状切れ目１８は、上記境界位置ではなく、この境界に沿って後打ちコンクリート舗装５側に入れてもよい。
【００２０】
直線状切れ目１８は市販の路面カッター（直線切り用のコンクリートカッター或い舗装カッター）２０によって入れることができる。波形切れ目１９は上記路面カッター２０と後述の円切りカッター（パラボラカッター）２１とを併用して入れることができる。この波形切れ目１９を入れる方法については後に詳述する。
【００２１】
ロ．凹部の形成
上記直線状切れ目１８と波形切れ目１９と間のアスファルト舗装７を除去し、さらに道路橋本体１の上面を斫って、図５に示すように凹部８を形成する。凹部８の後打ちコンクリート舗装５側の端面８ａは継目長手方向に直線状に延びており、アスファルト舗装７側の端面８ｂは継目長手方向に曲がりくねって延びる凹凸面になっている。
【００２２】
ハ．補強筋の設置
差し筋アンカー１７を凹部８の底面から道路橋本体１に打ち込み、矩形リング筋１３，１４及び通し筋１５，１６を組んで差し筋アンカー１７に結合する（図１及び図２参照）。
【００２３】
ニ．打継ぎコンクリート舗装の形成
上記凹部８にコンクリートを路面高さまで打設して打継ぎコンクリート舗装６を形成する。
【００２４】
以上により、図１及び図２に示す道路橋継目部の構造が得られる。
【００２５】
−円切りカッター２１について−
図６乃至図８は波形切れ目１９の形成に利用する円切りカッター２１を示す。この円切りカッター２１は、図６に示すように、ベースフレーム２２の前後左右に車輪２３を備えている。ベースフレーム２２には、図７に示すように下支持台２４が載置されているとともに、上支持台２５が支柱によって支持されている。下支持台２４はその一側がベースフレーム２２にヒンジ３２によって上方へ回動可能に連結されている。
【００２６】
下支持台２４の下面には左右方向に延びる回転軸２６が軸受２７によって支持され、下支持台２４より側方へ突出した回転軸２６の一端に円板状の回転切断刃２８が結合されている。下支持台２４の上には切断刃２８を駆動する駆動装置２９が支持されている。この駆動装置２９の出力軸に結合したプーリーと上記回転軸２６に結合したプーリーとに伝動ベルト３１が巻き掛けられ、駆動装置２９によって切断刃２８を回転駆動するようになっている。切断刃２８は、断面円弧状に形成され、その周縁が刃になっている。切断刃２８の円弧の中心は、下支持台２４のヒンジ３２の軸と回転軸２６とが交差する部位の近傍に定められている。
【００２７】
ベースフレーム２２と上支持台２５とには上下方向に延びるジャッキネジ３３が回転自在に支持され、このジャッキネジ３３に上記下支持台２４が係合している。ジャッキネジ３３は上端が上支持台２５の上方に突出し、この上端にジャッキネジ３３を回転操作するハンドル３４が取付けられている。そうして、このハンドル３４によるジャッキネジ３３の回転により、下支持台２４を、上記ヒンジ３２を中心に起伏させて、切断刃２８を路面切断位置と、上方の退避位置とに昇降させるようになっている。
【００２８】
また、図８に示すように、ベースフレーム２２の上記切断刃２８とは反対側の側部にはプレート３５が突出し、このプレート３５には路面に立設する支軸４０に嵌める係合孔３６が形成されている。この係合孔３６は、回転軸２６の延長線に対応する位置に設けられ、また、切断刃２８の円弧の略中心位置に配置されている。上支持台２５には上記駆動装置２９の燃料タンク３７が支持され、円切りカッター２１の前部には切断刃２８による路面の切断時にその切断部位へ供給する水を貯留する水タンク３８が設けられている。また、円切りカッター２１の上部からは、作業者が当該円切りカッター２１を押し動かすための操作杆３９が後方へ突出している。
【００２９】
−波形切れ目１９の形成−
次に上記路面カッター２０及び円切りカッター２１によってアスファルト舗装７に波形切れ目１９を入れる方法を説明する。
【００３０】
まず、図２に示すように、波形打継目１２は、継目長手方向に間隔をおいて配置され且つ伸縮継手４とは反対側に向かって中凸になった複数の円弧部１２ａと、各円弧部１２ａからその両側へ当該円弧の接線方向へ橋軸に対して斜めになって直線状に延びる斜め部１２ｂと、相隣る円弧部１２ａから延びる斜め部１２ｂ同士を結ぶように継目長手方向に直線に延びる継目長手部１２ｃとにより構成されている。
【００３１】
従って、図９に示すように、波形切れ目１９も、波形打継目１２の上記円弧部１２ａに対応する円弧状切れ目１９ａ、上記斜め部１２ｂに対応する斜め切れ目１９ｂ、並びに上記継目長手部１２ｃに対応する継目長手切れ目１９ｃによって構成されるように形成する必要がある。この場合、斜め切れ目１９ｂ及び継目長手切れ目１９ｃは直線状に延びていることから、直線切り用の路面カッター２０を用いて形成し、円弧状切れ目１９ａは円切りカッター２１を用いて形成することになる。
【００３２】
円弧状切れ目１９ａの形成に当たっては、その切れ目形成位置よりも伸縮継手４に寄った位置Ｐで、図７に示すように路面に支軸４０を打ち込み、図８に示すように、支軸４０に円切りカッター２１のプレート３５の係合孔３６を嵌める。一方、ジャッキネジ３３を回転させて、図７に鎖線で示すように下支持台２４を傾斜させ、切断刃２８を路面に当てた状態にする。その状態で切断刃２８を回転駆動しながら、ジャッキネジ３３を回転させて下支持台２４を水平になるように降ろしていくと、図７に実線で示すように、切断刃２８が路面を削って路面に切り込んだ状態になる。
【００３３】
この状態で、切断刃２８を回転駆動しながら、円切りカッター２１を押し動かすと、図８に示すように、円切りカッター２１は支軸４０を中心に旋回移動することになる。この旋回移動により、路面には切断刃２８によって円弧状の切れ目１９ａが形成される（図９参照）。この円弧状切れ目１９ａは継目長手方向に間隔をおいて必要数形成する。
【００３４】
斜め切れ目１９ｂは、各円弧状切れ目１９ａの両側から該円弧の接線方向に且つ橋軸に対して斜めになって直線状に延びるように、路面カッター２０によって形成する。また、継目長手切れ目１９ｃは、相隣る円弧状切れ目１９ａから延びる斜め切れ目１９ｂ同士を結ぶように、路面カッター２０によって継目長手方向に直線状に形成する。
【００３５】
波形切れ目１９の形成にあたっては、舗装面の予定位置に該波形切れ目１９の形状を下書きし（罫書き）、その下書きに基いて波形切れ目１９を形成するようにすればよい。また、円弧状切れ目１９ａ、斜め切れ目１９ｂ及び継目長手切れ目１９ｃのうちいずれを先に形成しいずれを後に形成するか、その順番は問わない。継目長手切れ目１９ｃは１箇所ずつ個別に形成してもよいが、複数の継目長手切れ目１９ｃにわたって継目長手方向に連続した直線状切れ目を入れるようにしてもよい。
【００３６】
＜実施形態２＞
本実施形態は、図１０に示すように、波形打継目１２の形状が実施形態１と相違する。すなわち、本実施形態の波形打継目１２は、継目長手方向に間隔をおいて配置され伸縮継手４とは反対側に向かって中凸になった複数の円弧部１２ａと、相隣る円弧状部１２ａの端同士を結ぶように継目長手方向に直線に延びる継目長手部１２ｃとにより構成されている。
【００３７】
従って、アスファルト舗装７に切れ目を入れる工程では、円切りカッター２１によって、伸縮継手４とは反対側に向かって中凸になった複数の円弧状切れ目を継目長手方向に間隔をおいて入れるステップと、路面カッター２０によって、相隣る上記円弧状切れ目同士を結ぶように上記継目長手方向に延びる直線状の切れ目を入れるステップとにより、波形切れ目を形成することになる。他の構成は実施形態１と同じである。
【００３８】
従って、上記各実施形態によれば、いずれもアスファルト舗装７とコンクリート舗装との打継目１２は、平面視で曲線部を有する波形になる。このため、アスファルト舗装７が摩耗して上記打継目１２に段差を生じた場合、自動車のタイヤが当該打継目１２を通過するときの振動・騒音は小さなものになる。
【００３９】
また、打継ぎコンクリート舗装６は、道路橋本体１に形成された凹部８を形成してコンクリートを打設することにより、アスファルト舗装厚よりも厚くしているから、道路橋本体１に対する結合強度が高くなっている。しかも、打継ぎコンクリート舗装６は、鉄筋１３〜１７によって補強されて、該鉄筋１３〜１７を介して道路橋本体１と強く結合された状態になっており、その剥離が防止される。
【００４０】
なお、上記両実施形態では、円弧部１２ａ及び円弧状切れ目１９ａが伸縮継手４とは反対側に向かって中凸になっているが、伸縮継手４に向かって中凸に形成してもよい。
【００４１】
また、上記各実施形態は道路橋本体１，１同士の継目部の舗装に本発明を適用したが、本発明は道路橋本体と橋台との継目部の舗装にも適用することができる。
【００４２】
また、本発明が、上記実施形態の伸縮継手に限らず、フィンガージョイントなど種々の形式の伸縮継手が構築された道路橋継目部に適用できることはもちろんである。
【図面の簡単な説明】
【００４３】
【図１】本発明に係る施工方法を用いて形成した道路橋継目部の断面図である。
【図２】実施形態１に係る同道路橋継目部の平面図である。
【図３】同実施形態の施工前の道路橋継目部の断面図である。
【図４】同実施形態の舗装に切れ目を入れる工程を示す道路橋継目部の断面図である。
【図５】同実施形態の舗装を一部除去した状態を示す道路橋継目部の断面図である。
【図６】本発明の施工方法に使用する円切りカッターの斜視図である。
【図７】同円切りカッターを示す一部断面にした概略背面図である。
【図８】同円切りカッターで路面に切れ目を入れる状態を示す概略平面図である。
【図９】実施形態１の切れ目を示す拡大した平面図である。
【図１０】実施形態２に係る道路橋継目部の平面図である。
【符号の説明】
【００４４】
１    道路橋本体
２    遊間
３    段部
４    伸縮継手
５    後打ちコンクリート舗装
６    打継ぎコンクリート舗装
７    アスファルト舗装
１１    直線状打継目
１２    波形打継目
１８    直線状切れ目
１９    波形切れ目
１９ａ    円弧状切れ目
１９ｂ    斜め切れ目
１９ｃ    継目長手切れ目
２０    路面カッター
２１    円切りカッター
【図１】
2008215024.tif 000003
【図２】
2008215024.tif 000004
【図３】
2008215024.tif 000005
【図４】
2008215024.tif 000006
【図５】
2008215024.tif 000007
【図６】
2008215024.tif 000008
【図７】
2008215024.tif 000009
【図８】
2008215024.tif 000010
【図９】
2008215024.tif 000011
【図１０】
2008215024.tif 000012